(57)【要約】【課題】  断熱形材が用いられたサッシ窓において、断熱形材の曲げ・ねじり剛性を向上することができるサッシ窓を提供すること。【解決手段】  障子２０Ａの竪框２５は、金属製の室外部材２５Ａおよび室内部材２５Ｂと、室外部材２５Ａ、室内部材２５Ｂに跨って配置された断熱ブリッジ材２５Ｃとを備えた断熱形材で構成する。竪框２５の上下両端部に、室外部材２５Ａ、室内部材２５Ｂに跨って配置され、それぞれのポケット部４０に係合して、室外部材２５Ａ、室内部材２５Ｂの間隔が広がらないように規制する断熱材からなる上部側摺動片５０、下部側摺動片６０を設ける。竪框２５の上下両端部に設けられた各摺動片５０，６０で、室外部材２５Ａ、室内部材２５Ｂを連結しているので、竪框２５の曲げ・ねじり剛性を向上できる。【選択図】  図３
2005200932.tif 000002
【特許請求の範囲】
【請求項１】
上枠、下枠および左右の縦枠で構成された窓枠と、上框、下框および左右の竪框で構成された障子とを備えたサッシ窓であって、
前記上框、下框、左右の竪框のうちの少なくとも１つの框は、金属製の室外部材および室内部材と、前記室外部材および室内部材に跨って配置された断熱ブリッジ材とを備えた断熱形材で構成され、
この断熱形材の端部には、前記室外部材および室内部材に跨って配置されて室外部材および室内部材の間隔が広がらないように規制する断熱材からなる端部部材が設けられているサッシ窓。
【請求項２】
前記室外部材および室内部材にはポケット部が形成され、
前記端部部材は各ポケット部に係合固定されて前記室外部材および室内部材の間隔を一定に保持している請求項１に記載のサッシ窓。
【請求項３】
前記ポケット部は、室外部材および室内部材の長手方向全長に渡って形成され、前記断熱ブリッジ材が挿入されるポケット部を兼用している請求項２に記載のサッシ窓。
【請求項４】
前記上枠および下枠には障子を案内する上レールおよび下レールがそれぞれ形成され、
前記上框、下框、左右の竪框のうちの少なくとも竪框は、金属製の室外部材および室内部材と、前記室外部材および室内部材に跨って配置された断熱ブリッジ材とを備えた断熱形材で構成され、
前記各端部部材は、竪框の上下両端に取り付けられて前記各レールに対して摺動される上部側摺動片および下部側摺動片で構成されている請求項１〜３のいずれかに記載のサッシ窓。
【発明の詳細な説明】
【技術分野】
【０００１】
本発明は、室外部材および室内部材間に断熱ブリッジ材を配置した断熱形材を、障子の框材として用いたサッシ窓に関する。
【背景技術】
【０００２】
アルミニウム合金製の室外部材（形材）および室内部材（形材）を、樹脂材料などからなる断熱材で連結した断熱形材を用いて障子の框を構成した断熱サッシが知られている（例えば、特許文献１参照）。
【０００３】
【特許文献１】特開平７−３０５５６６号公報
【発明の開示】
【発明が解決しようとする課題】
【０００４】
しかしながら、前記断熱形材では、室外部材および室内部材は、各部材にかしめ等で固定された断熱材のみで連結され、摺動片や端部キャップ等の框の端部に設けられた端部部材は室内外部材の連結には使用されていない。そして、断熱材は、板状に形成されているので、断熱形材に曲げ方向やねじり方向の力が加わった場合には、断熱材部分が湾曲・変形することがあった。このため、曲げ・ねじり剛性を向上した断熱形材が求められていた。
【０００５】
本発明の目的は、断熱形材が用いられたサッシ窓において、断熱形材の曲げ・ねじり剛性を向上することができるサッシ窓を提供することにある。
【課題を解決するための手段】
【０００６】
本発明は、上枠、下枠および左右の縦枠で構成された窓枠と、上框、下框および左右の竪框で構成された障子とを備えたサッシ窓であって、前記上框、下框、左右の竪框のうちの少なくとも１つの框は、金属製の室外部材および室内部材と、前記室外部材および室内部材に跨って配置された断熱ブリッジ材とを備えた断熱形材で構成され、この断熱形材の端部には、前記室外部材および室内部材に跨って配置されて室外部材および室内部材の端部の間隔が広がらないように規制する断熱材からなる端部部材が設けられていることを特徴とする。
【０００７】
ここで、断熱ブリッジ材および断熱材からなる端部部材は、少なくとも、金属製の室外部材、室内部材に比べて熱伝導率が低い材料（断熱材）で構成された部材であればよく、例えば、ウレタン樹脂や塩化ビニル樹脂等の熱伝導率が小さく、熱を通しにくい合成樹脂等で構成されたものが利用できる。
【０００８】
このようなサッシ窓では、断熱形材の端面に設けられた端部部材を各室外部材および室内部材に跨って配置し、各室外部材、室内部材に係合したり、ビス等で固定することで室外部材および室内部材の端部間隔が広がらないようにしているため、断熱形材の曲げ・ねじり剛性を向上できる。特に、端部部材は、断熱形材の端部に配置され、断熱形材つまり断熱ブリッジ材の長手方向に対し、直交方向に配置されるため、断熱形材の曲げ・ねじり剛性を効果的に向上できる。
さらに、端部部材は、断熱性の部材で構成されているので、室外部材および室内部材に跨って配置されていても、断熱性を低下させることが無く、断熱形材つまりはサッシ窓の断熱性能を十分に維持できる。
【０００９】
なお、障子では、通常、左右の竪框間に上框および下框を連結しているので、端部部材は障子の外周面に露出する竪框の上下端面のみに取り付ければよく、竪框に接合される上框や下框の端部には取り付ける必要がない。一方、上框および下框間に竪框を連結した場合には、上框および下框の左右両端部に端部部材を取り付ければよい。
また、本発明においては、断熱ブリッジ材は、室外部材および室内部材のポケット部に断熱材を充填して形成してもよいし、予め成形された略板状の断熱ブリッジ材によって形成してもよい。
【００１０】
さらに、予め成形された断熱ブリッジ材を用いる場合には、室外部材および室内部材のポケット部に挿入のみして取り付けてもよいし、挿入した上でかしめることで固定してもよい。すなわち、断熱ブリッジ材を室外部材および室内部材の両方にかしめによって固定すれば、断熱材を充填した場合と同様に、端部部材だけでなく断熱ブリッジ材によっても室内外部材間が連結されるため、連結強度が向上し、断熱形材の剛性がより向上できる。
また、断熱ブリッジ材は室外部材または室内部材の一方のみにかしめによって固定してもよいし、いずれの部材に対してもかしめないでポケット部に挿通のみしてもよく、要するに、断熱ブリッジ材を室外部材および室内部材の少なくとも一方に対してその長手方向にスライド移動可能に設けてもよい。
【００１１】
ここで、前記室外部材および室内部材にはポケット部が形成され、前記端部部材は各ポケット部に係合固定されて前記室外部材および室内部材の間隔を一定に保持していることが好ましい。
端部部材によって室内外部材の間隔が開かないように保持する手段としては、例えば、端部部材を室内外部材にそれぞれビス止めすることなどでも可能であるが、室内外部材にポケット部を形成し、このポケット部に端部部材を係合固定すれば、端部部材を容易に取り付けることができ、簡単な構造で室内外部材間の間隔も一定に保持できる。
【００１２】
また、前記ポケット部は、室外部材および室内部材の長手方向全長に渡って形成され、前記断熱ブリッジ材が挿入されるポケット部を兼用していることが好ましい。
端部部材が係合固定されるポケット部を、室内外部材において断熱ブリッジ材が挿入されるポケット部と兼用すれば、室外部材および室内部材の構成は従来のものと同一にでき、前記ポケット部に係合される係合部を有する端部部材を新規に用意するだけで本発明を実現できるので、コスト増加を最小限に抑えることができ、断熱形材の剛性を安価にかつ容易に向上できる。
【００１３】
さらに、前記上枠および下枠には障子を案内する上レールおよび下レールがそれぞれ形成され、前記上框、下框、左右の竪框のうちの少なくとも竪框は、金属製の室外部材および室内部材と、前記室外部材および室内部材に跨って配置された断熱ブリッジ材とを備えた断熱形材で構成され、前記各端部部材は、竪框の上下両端に取り付けられて前記各レールに対して摺動される上部側摺動片および下部側摺動片で構成されていることが好ましい。
【００１４】
摺動片によって端部部材を兼用していれば、新規な端部部材を別途用意する必要がなく、従来から用いられている摺動片の構造を一部修正するだけでよいので、部品点数の増加を抑えることができ、コスト増加も抑えることができる。
【発明を実施するための最良の形態】
【００１５】
以下、本発明の一実施形態を図面に基づいて説明する。なお、図１，２では、サッシ窓１の断面が示されているが、図面を見やすくするために、主要な構成部材については、その断面部分のハッチングを省略してある。
【００１６】
〔全体構造〕
図１，２に示すように、サッシ窓１は、引違い窓を構成するものであって、建物の開口部に取り付けられた窓枠１０と、この窓枠１０内に建て付けられた室外側の外障子２０Ａおよび室内側の内障子２０Ｂとを備え、外障子２０Ａの室外側には網戸２が建て付けられている。
【００１７】
窓枠１０は、上枠１１、下枠１２および左右の縦枠１３，１４を四周枠組みして構成されている。各枠１１〜１４はそれぞれ、アルミ押出形材製の室外部材１１Ａ，１２Ａ，１３Ａ，１４Ａと、同様にアルミ押出形材製の室内部材１１Ｂ，１２Ｂ，１３Ｂ，１４Ｂと、これらを連結する断熱ブリッジ材１１Ｃ，１２Ｃ，１３Ｃ，１４Ｃとを含んだ断熱形材で構成されている。
ここで、断熱ブリッジ材１１Ｃ〜１４Ｃは、予め成型されたウレタン樹脂、塩化ビニル樹脂、ポリアミド、フェノール等の硬質合成樹脂製あるいはこれらの樹脂をガラス繊維、炭素繊維等で補強した強化樹脂製等で構成されている。この断熱ブリッジ材１１Ｃ〜１４Ｃは断面形状が略Ｉ字状、つまり略板状の両端部にフランジ部分が形成された形状とされている。
【００１８】
室外部材１１Ａ〜１４Ａ、室内部材１１Ｂ〜１４Ｂには、互いに対向するポケット部１５が一体に形成されている。このポケット部１５は、断面略Ｃ字状に形成されている。そして、前記断熱ブリッジ材１１Ｃ〜１４Ｃは、ポケット部１５の開口端面（各室外部材１１Ａ〜１４Ａ、室内部材１１Ｂ〜１４Ｂの長手方向端面）からスライド挿入され、さらにポケット部１５をかしめることで固定されている。従って、断熱ブリッジ材１１Ｃ〜１４Ｃのフランジ部分がポケット部１５に係合され、かつ、かしめられていることで、室外部材１１Ａ〜１４Ａおよび室内部材１１Ｂ〜１４Ｂは断熱ブリッジ材１１C〜１４Cにより互いに離れないように連結している。
【００１９】
上枠１１の室外部材１１Ａおよび室内部材１１Ｂには、それぞれ下方に垂下した上レール１６，１７が設けられている。各レール１６，１７では、外障子２０Ａおよび内障子２０Ｂの上部側がガイドされている。
下枠１２の室外部材１２Ａおよび室内部材１２Ｂには、それぞれ上方に突設した下レール１８，１９が設けられている。下レール１８では、外障子２０Ａの下部側の戸車が転動してガイドされ、下レール１９では、内障子２０Ｂの下部側の戸車が転動してガイドされる。
【００２０】
各上枠１１、下枠１２、縦枠１３，１４は、室外部材１１Ａ〜１４Ａおよび室内部材１１Ｂ〜１４Ｂがそれぞれ躯体側にネジなどで固定されることで、躯体に取り付けられている。
【００２１】
外障子２０Ａおよび内障子２０Ｂは、それぞれ上框２１，２２と、下框２３，２４と、左右の竪框２５，２６と、外召合せ框２７および内召合せ框２８とをそれぞれ四角枠状に組んで構成されている。
これらの各框２１〜２８の内周面には、面材である複層ガラス２９がガスケット３０を介して嵌合されている。
【００２２】
各框２１〜２６は、それぞれアルミニウム合金製の室外部材２１Ａ〜２６Ａと、アルミニウム合金製の室内部材２１Ｂ〜２６Ｂと、これらの室外部材２１Ａ〜２６Ａおよび室内部材２１Ｂ〜２６Ｂを連結する断熱ブリッジ材２１Ｃ〜２６Ｃとで構成されている。
このうち、各下框２３，２４は、高さ寸法が大きいため、それぞれ３本の断熱ブリッジ材２３Ｃおよび２本の断熱ブリッジ材２４Ｃを連結している。
【００２３】
また、外障子２０Ａの外召合せ框２７は、その室内側に内召合せ框２８が配置されて断熱性能が要求されないため、断熱ブリッジ材が設けられておらず、アルミニウム合金製の一体押出成形品で構成されている。
一方、内障子２０Ｂの内召合せ框２８は、障子を閉めた際に室外側に露出するアルミニウム合金製の室外部材２８Ａと、外障子２０Ａの室内側に配置されて室内側に露出するアルミニウム合金製の室内部材２８Ｂと、これらを連結する断熱ブリッジ材２８Ｃとで構成されている。
【００２４】
そして、図３に示すように、各竪框（召合せ框）２５〜２８の上端には、前記上レール１６，１７を挟み込む端部部材である上部側摺動片５０が取り付けられ、下端には下レール１８，１９を挟み込む端部部材である下部側摺動片６０が取り付けられている。
【００２５】
〔断熱ブリッジ材および摺動片の取付構造〕
次に、断熱ブリッジ材２１Ｃ〜２６Ｃ，２８Ｃおよび上部側摺動片５０、下部側摺動片６０の取付構造について、竪框２５を例にして詳述する。
室外部材２１Ａ〜２６Ａ，２８Ａ、室内部材２１Ｂ〜２６Ｂ，２８Ｂには、窓枠１０のポケット部１５と同様に断面略Ｃ字状に形成されたポケット部４０が互いに対向して一体に形成されている。
対向形成された各ポケット部４０は、図４に示すように、互いに対向する方向に突出された２本の突出片部４１と、この突出片部４１から直交方向に突設された係合片部４２とを備えて構成され、押出成形によって各室外部材２１Ａ〜２６Ａ，２８Ａ、室内部材２１Ｂ〜２６Ｂ，２８Ｂと一体に形成されている。従って、ポケット部４０によって断熱ブリッジ材２１Ｃ〜２６Ｃ，２８Ｃが係合される係合溝４３が、各室外部材２１Ａ〜２６Ａ，２８Ａ、室内部材２１Ｂ〜２６Ｂ，２８Ｂの長手方向全長に渡って形成されている。なお、図４，６においては、断熱ブリッジ材２１Ｃ，２５Ｃにハッチングを入れて、室外部材２１Ａ，２５Ａ、室内部材２１Ｂ，２５Ｂと区別し易いようにしている。
【００２６】
各ポケット部４０の係合溝４３には、各断熱ブリッジ材２１Ｃ〜２６Ｃ，２８Ｃが、ポケット部４０の開口端面からスライド挿入されている。各断熱ブリッジ材２１Ｃ〜２６Ｃ，２８Ｃは、断熱ブリッジ材１１Ｃ〜１４Ｃと同一のものであり、予め成型されたウレタン樹脂、塩化ビニル樹脂、ポリアミド、フェノール等の硬質合成樹脂製あるいはこれらの樹脂をガラス繊維、炭素繊維等で補強した強化樹脂製等で構成されている。そして、断熱ブリッジ材２１Ｃ〜２６Ｃ，２８Ｃも、断面形状が略Ｉ字状、つまり略板状の両端部にフランジ部分が形成された形状とされ、このフランジ部分が前記ポケット部４０の係合溝４３に係合されている。このフランジ部分が係合片部４２に係止されるため、断熱ブリッジ材２１Ｃ〜２６Ｃ，２８Ｃをポケット部４０に挿入しただけでも、各室外部材２１Ａ〜２６Ａ，２８Ａ、室内部材２１Ｂ〜２６Ｂ，２８Ｂは、それらの間隔が広がらないように断熱ブリッジ材２１Ｃ〜２６Ｃ，２８Ｃで連結されていることになる。
【００２７】
また、竪框２５，２６、内召合せ框２８のポケット部４０には、上部側摺動片５０、下部側摺動片６０の係合部が係合されている。
竪框２５に取り付けられる上部側摺動片５０を例にして説明すると、上部側摺動片５０は、図３，５，６に示すように、室外部材２５Ａ、室内部材２５Ｂに跨って配置される。すなわち、上部側摺動片５０は、室外部材２５Ａ側に係合される室外側壁部５１と、室内部材２５Ｂ側に係合される室内側壁部５２と、各壁部５１，５２を連結する連結部５３とを有して構成され、各壁部５１，５２間に上レール１６が挿通される摺動溝５４が形成されている。壁部５１，５２には、室外部材２５Ａ、室内部材２５Ｂの上端面を被覆するカバー部５１Ａ，５２Ａが一体に形成されている。
【００２８】
そして、上部側摺動片５０の各壁部５１，５２には、竪框２５の室外部材２５Ａおよび室内部材２５Ｂの各ポケット部４０の係合溝４３に係合する係合部５５，５６を備えている。
係合部５５，５６は、図７，８に示すように、係合溝４３の幅寸法に比べて幅寸法が小さい挿入ガイド部５５Ａと、幅寸法が拡大する幅拡大部５５Ｂと、幅寸法が係合溝４３の幅寸法と略同一とされた嵌合部５５Ｃとを備えている。このため、係合部５５，５６をポケット部４０に差し込んだ当初は、挿入ガイド部５５Ａが係合溝４３に挿入されるため、係合溝４３と係合部５５，５６の中心軸が多少ずれていてもスムーズに差し込むことができる。そして、さらに上部側摺動片５０を押し込むと、幅拡大部５５Ｂによって軸合わせが行われた後、係合溝４３に嵌合部５５Ｃが圧入嵌合される。
従って、上部側摺動片５０は、断熱ブリッジ材２５Ｃと同様に、各ポケット部４０に係合して各室外部材２５Ａ、室内部材２５Ｂを連結している。
なお、図示しないが、他の竪框２６、内召合せ框２８に取り付けられる上部側摺動片５０や、各竪框２５，２６、内召合せ框２８に取り付けられる下部側摺動片６０においても、各ポケット部４０に係合する係合部が形成され、この係合部を係合溝４３に嵌合することで各室外部材２５Ａ，２６Ａ，２８Ａ、室内部材２５Ｂ，２６Ｂ，２８Ｂを連結している。
【００２９】
なお、上部側摺動片５０、下部側摺動片６０の各係合部５５，５６は、ポケット部４０に圧入するだけでもよいし、圧入後、ポケット部４０をかしめることでより強固に固定してもよい。
また、各断熱ブリッジ材２１Ｃ〜２６Ｃ，２８Ｃは、ポケット部４０に挿通するだけでもよいし、ポケット部４０に挿通後、断熱ブリッジ材２１Ｃ〜２６Ｃ，２８Ｃの長手方向の一端側のみをかしめによって固定してもよく、さらには従来と同様に、断熱ブリッジ材２１Ｃ〜２６Ｃ，２８Ｃの長手方向全長に渡ってかしめを行って固定してもよいが、本実施形態では、一端部側のみをかしめによって固定している。
【００３０】
すなわち、本実施形態では、各竪框２５，２６、内召合せ框２８に取り付けられる断熱ブリッジ材２５Ｃ，２６Ｃ，２８Ｃは、下端部側つまり下部側摺動片６０の上側に隣接して配置される部分のみがかしめによって固定されている。例えば、テラス窓のように、障子２０Ａ，２０Ｂの高さ寸法が約２メートルと高く、各断熱ブリッジ材２５Ｃ，２６Ｃ，２８Ｃの高さ（長手）寸法も同様に２メートル近くある場合でも、その下端縁から約１０センチメートル程度の高さ範囲内のみでかしめを行っている。
【００３１】
このかしめの領域は、かしめを行う数によって設定される。すなわち、各かしめ箇所は、１センチメートル程度の間隔で行うため、例えば、１０個のかしめを行えば、かしめが行われた領域は約１０センチメートル程度となる。また、かしめ数が多くなるほど連結強度が向上するので、かしめ数は必要となる連結強度に応じて設定される。この断熱ブリッジ材２５Ｃ，２６Ｃ，２８Ｃ部分のかしめは、主に、障子２０Ａ，２０Ｂが搬送中などに誤って落下した際の衝撃で、室外部材２５Ａ，２６Ａ，２８Ａおよび室内部材２５Ｂ，２６Ｂ，２８Ｂが長手方向にずれてしまうことを防止するものである。従って、上部側摺動片５０や下部側摺動片６０をかしめておくこと等で前記衝撃を支持できるように設計している場合には、断熱ブリッジ材２５Ｃ，２６Ｃ，２８Ｃ部分をかしめる必要はないし、かしめが必要な場合でも、どの程度支持すればよいかによってそのかしめ数を設定すればよい。
【００３２】
また、上框２１，２２、下框２３，２４に取り付けられる断熱ブリッジ材２１Ｃ〜２４Ｃは、左右両端のうち、外召合せ框２７、内召合せ框２８側の端部のみがかしめによって固定されている。このかしめ数も必要な強度によって設定すれば良い。
【００３３】
合成樹脂製の断熱ブリッジ材２１Ｃ〜２６Ｃ，２８Ｃは、温度変化に伴う伸縮量がアルミニウム合金製の室外部材２１Ａ〜２６Ａ，２８Ａ、室内部材２１Ｂ〜２６Ｂ，２８Ｂに比べて大きい。このため、夏や昼間など、断熱ブリッジ材２１Ｃ〜２６Ｃ，２８Ｃの温度が上昇すると、断熱ブリッジ材２５Ｃ，２６Ｃ，２８Ｃはかしめによって固定されていない上端側が上方つまり上部側摺動片５０側に伸張し、断熱ブリッジ材２１Ｃ〜２４Ｃは竪框２５，２６側の端部が竪框２５，２６側つまり竪框２５，２６に取り付けられた上部側摺動片５０や下部側摺動片６０側に伸張する。
このため、本実施形態では、伸張時に断熱ブリッジ材２１Ｃ〜２６Ｃ，２８Ｃが上部側摺動片５０や下部側摺動片６０に衝突しないように、予め上部側摺動片５０や下部側摺動片６０との間に隙間（クリアランス）７１，７２が設けられている。
【００３４】
具体的には、断熱ブリッジ材２１Ｃ〜２４Ｃは、各框２１〜２４の外召合せ框２７、内召合せ框２８側の端縁が、各框２１〜２４の端縁と面一となるように配置され、その端縁側がかしめによって固定されている。一方、断熱ブリッジ材２１Ｃ〜２４Ｃの竪框２５，２６側の端縁は、図４（Ａ）に示すように、各框２１〜２４の端縁までは延長されておらず、端縁から所定の寸法Ｌ１だけ離れた位置までしか設けられていない。つまり、断熱ブリッジ材２１Ｃ〜２４Ｃの長さ寸法は、基準温度の状態で、各框２１〜２４の室外部材２１Ａ〜２４Ａ、室内部材２１Ｂ〜２４Ｂに比べて寸法Ｌ１だけ短くされ、断熱ブリッジ材２１Ｃ〜２４Ｃと、上部側摺動片５０および下部側摺動片６０との間には、隙間７１が設けられている。
このため、図４（Ｂ）に示すように、温度が上昇して断熱ブリッジ材２１Ｃ〜２４Ｃが伸張しても、各摺動片５０，６０に対して寸法Ｌ２の隙間７１が残り、摺動片５０，６０に衝突することがないように構成されている。
【００３５】
同様に、断熱ブリッジ材２５Ｃ，２６Ｃ，２８Ｃは、下端側が下部側摺動片６０の上端縁に隣接して、その端縁側がかしめによって固定されている。一方、断熱ブリッジ材２５Ｃ，２６Ｃ，２８Ｃの上端側は、図８（Ａ）に示すように、上部側摺動片５０の下端縁から所定の寸法Ｈ１だけ離れた位置までしか設けられていない。つまり、断熱ブリッジ材２５Ｃ，２６Ｃ，２８Ｃの高さ寸法は、基準温度の状態で、各框２５，２６，２８の室外部材２５Ａ，２６Ａ，２８Ａ、室内部材２５Ｂ，２６Ｂ，２８Ｂの高さ寸法に比べて、各摺動片５０，６０の高さ寸法および前記高さ寸法Ｈ１を足した分だけ短くされ、断熱ブリッジ材２５Ｃ，２６Ｃ，２８Ｃと、上部側摺動片５０との間には、隙間７２が設けられている。
このため、図８（Ｂ）に示すように、温度が上昇して断熱ブリッジ材２５Ｃ、２６Ｃ，２８Ｃが伸張しても、上部側摺動片５０に対して高さ寸法Ｈ２の隙間７２が残り、上部側摺動片５０に衝突することがないように構成されている。
【００３６】
なお、各断熱ブリッジ材２１Ｃ〜２６Ｃ，２８Ｃが設けられている部分は、レール１６〜１９等に当接するシール材によって室外側から区画されているので、隙間が形成されていても水密性や気密性に影響を与えることはない。また、上下の框２１〜２４や内召合せ框２８部分の隙間７１，７２は、サッシ窓の使用時には利用者が視認することができないため、意匠性を低下させることもない。
但し、竪框２５，２６部分に生じる隙間７２は、障子２０Ａ，２０Ｂを開いた際に、その側面に露出するため、利用者が視認することができる。このため、上部側摺動片５０には、断熱ブリッジ材２５Ｃ，２６Ｃの外側面側に配置されて前記隙間７２部分を被覆する被覆片５７が下方に突出して形成されている。
【００３７】
このような本実施形態によれば、以下のような効果がある。
(1) 障子２０Ａ，２０Ｂの竪框２５，２６、内召合せ框２８の上下両端に設けられる端部部材である上部側摺動片５０、下部側摺動片６０を各室外部材２５Ａ，２６Ａ，２８Ａおよび室内部材２５Ｂ，２６Ｂ，２８Ｂに跨って配置して各ポケット部４０に係合したので、室外部材２５Ａ，２６Ａ，２８Ａおよび室内部材２５Ｂ，２６Ｂ，２８Ｂ間の連結強度を向上でき、竪框２５，２６、内召合せ框２８の曲げ・ねじり剛性を向上できる。
また、上部側摺動片５０、下部側摺動片６０は、室外部材２５Ａ，２６Ａ，２８Ａおよび室内部材２５Ｂ，２６Ｂ，２８Ｂの長手方向に直交する面状に形成されているので、室内部材２５Ｂ，２６Ｂ，２８Ｂに対して室外部材２５Ａ，２６Ａ，２８Ａが軸直交方向に曲げられたり、ねじられたりした際に、各上部側摺動片５０、下部側摺動片６０でその力を支持できるので、各竪框２５，２６や内召合せ框２８の曲げ剛性やねじり剛性を効果的に向上できる。特に、摺動片５０，６０は、それぞれ２本の係合部５５，５６を備え、室外部材２５Ａ，２６Ａ，２８Ａおよび室内部材２５Ｂ，２６Ｂ，２８Ｂにそれぞれ２カ所で係合されているので、各框２５，２６，２８の曲げ剛性やねじり剛性をより一層向上できる。
【００３８】
(2) 上部側摺動片５０、下部側摺動片６０は、室外部材２５Ａ，２６Ａ，２８Ａおよび室内部材２５Ｂ，２６Ｂ，２８Ｂにおいて断熱ブリッジ材２５Ｃ，２６Ｃ，２８Ｃが挿入されるポケット部４０に、係合部５５，５６を係合しているので、摺動片５０，６０を係合するための新たなポケット部を別途形成する必要がない。このため、室外部材２５Ａ，２６Ａ，２８Ａおよび室内部材２５Ｂ，２６Ｂ，２８Ｂは従来と同一のものを利用でき、上部側摺動片５０、下部側摺動片６０のみを新規に用意すればよいため、コスト増加を最小限に抑えることができ、断熱形材の剛性を安価にかつ容易に向上できる。
【００３９】
(3) 上部側摺動片５０、下部側摺動片６０は、ポケット部４０に圧入嵌合し、適宜かしめるだけでよいので、ビスなどで固定する場合に比べて取付作業も容易に行うことができる。さらに、各摺動片５０，６０の係合部５５，５６を、幅寸法の異なる挿入ガイド部５５Ａ、幅拡大部５５Ｂ、嵌合部５５Ｃで構成したので、係合部５５，５６を容易にポケット部４０に挿入することができ、この点でも取付作業性を向上できる。
【００４０】
(4) 本実施形態では、摺動片５０，６０が、室外部材２５Ａ，２６Ａ，２８Ａおよび室内部材２５Ｂ，２６Ｂ，２８Ｂを連結する端部部材を兼用しているので、端部部材を別途用意する必要がなく、従来から用いられている摺動片５０，６０の構造を一部修正するだけでよいので、部品点数の増加を抑えることができ、コスト増加も抑えることができる。
【００４１】
(5) 摺動片５０，６０で室外部材２５Ａ，２６Ａ，２８Ａおよび室内部材２５Ｂ，２６Ｂ，２８Ｂを連結しているので、断熱ブリッジ材２５Ｃ，２６Ｃ，２８Ｃは全長に渡ってかしめる必要が無く、端部の一部分のみをかしめればよいため、かしめ作業が軽減され、生産性も向上できる。
【００４２】
(6) 断熱ブリッジ材２１Ｃ〜２６Ｃ，２８Ｃは、その長手方向の一端側のみをかしめで固定しているので、温度に応じて断熱ブリッジ材２１Ｃ〜２６Ｃ，２８Ｃが伸縮した場合に、室外部材２１Ａ〜２６Ａ，２８Ａおよび室内部材２５Ｂ，２６Ｂ，２８Ｂに対して断熱ブリッジ材２１Ｃ〜２６Ｃ，２８Ｃを自由にスライド移動させることができる。
このため、断熱ブリッジ材２１Ｃ〜２６Ｃ，２８Ｃが、ポケット部４０に注入固定されている場合や、全長に渡ってかしめられている場合のように、室外部材２１Ａ〜２６Ａ，２８Ａおよび室内部材２５Ｂ，２６Ｂ，２８Ｂの熱伸び量の差によって断熱形材（各框２１〜２６，２８）が反ってしまうことがない。すなわち、本実施形態では、断熱ブリッジ材２１Ｃ〜２６Ｃ，２８Ｃは自由にスライド移動できるので、室外部材２１Ａ〜２６Ａ，２８Ａおよび室内部材２５Ｂ，２６Ｂ，２８Ｂの熱伸び量に差が生じても、各框２１〜２６，２８の反りを防止できる。特に、寸法が大きく長尺な竪框２５，２６，２８においても効果的に熱反りを防止できる。
【００４３】
(7) 各断熱ブリッジ材２１Ｃ〜２６Ｃ，２８Ｃと、上部側摺動片５０、下部側摺動片６０との間には、所定の隙間７１，７２が形成されているので、断熱ブリッジ材２１Ｃ〜２６Ｃ，２８Ｃが熱伸びしても各摺動片５０，６０に衝突することを防止でき、衝突によって上部側摺動片５０等が押し上げられることを防止できる。また、衝突により、断熱ブリッジ材２１Ｃ〜２６Ｃ，２８Ｃが湾曲することも防止できるので、室外部材２１Ａ〜２６Ａ，２８Ａおよび室内部材２５Ｂ，２６Ｂ，２８Ｂの端部を自由にスライド移動させることができ、この点でも熱反りの発生を防止できる。
【００４４】
(8) 上部側摺動片５０には、被覆片５７が形成されているので、断熱ブリッジ材２５Ｃ，２６Ｃと上部側摺動片５０間の隙間７２を塞ぐことができ、意匠性の低下を防止できる。さらに、断熱ブリッジ材２５Ｃ，２６Ｃは、下端部分をかしめで固定することで、上端部分に隙間７２を形成しているので、下端側に隙間を形成した場合に比べて、利用者が視認し難い箇所に隙間７２を形成することになるので、意匠性をより向上できる。
【００４５】
なお、本発明は前記各実施形態の構成に限定されるものではない。
例えば、前記実施形態では、断熱ブリッジ材２１Ｃ〜２６Ｃ，２８Ｃは一端側をかしめていたが、長手方向全長に渡ってかしめてもよい。この場合には、隙間７１，７２を設ける必要が無く、室外部材２１Ａ〜２６Ａ，２８Ａおよび室内部材２１Ｂ〜２６Ｂ，２８Ｂの連結強度をより一層向上できる。
また、一部分をかしめる場合でも、例えば、断熱ブリッジ材２５Ｃ，２６Ｃ，２８Ｃの上端側や中間部の一部分のみをかしめてもよい。同様に、断熱ブリッジ材２１Ｃ〜２４Ｃの框２５、２６側の端部や中間部の一部分のみをかしめてもよい。但し、断熱ブリッジ材２１Ｃ〜２６Ｃ，２８Ｃの中間部をかしめると、その両端部で熱伸びが生じ、それぞれに熱伸びを許容するための隙間を形成しなければならず、組立作業性が低下するため、前記実施形態のように一方の端部をかしめることが好ましい。
さらに、断熱ブリッジ材２１Ｃ〜２６Ｃ，２８Ｃはかしめで固定せずに、ポケット部４０に挿入のみしてもよい。この場合は、上部側摺動片５０、下部側摺動片６０のポケット部４０への係合部分をかしめて連結強度を高めればよい。
また、前記実施形態では、予め成形された板状の断熱ブリッジ材２１Ｃ〜２６Ｃ，２８Ｃを用いていたが、溶融された樹脂をポケット部４０に注入して断熱ブリッジ材を構成してもよい。
【００４６】
また、窓枠１０の断熱ブリッジ材１１Ｃ〜１４Ｃも、全長にわたってかしめてもよいし、端部や中間部の一部分のみをかしめてもよいし、かしめを行わずポケット部１５に挿入のみしてもよいし、溶融樹脂をポケット部１５に注入して構成してもよい。なお、窓枠１０の各室外部材１１Ａ〜１４Ａ、室内部材１１Ｂ〜１４Ｂはそれぞれ躯体にビス等で固定されているので、これらを連結する断熱ブリッジ材１１Ｃ〜１４Ｃにおける連結強度は輸送時に必要となる程度であり、それほど要求されない。従って、各枠１１〜１４において端部部材で室外部材１１Ａ〜１４Ａ、室内部材１１Ｂ〜１４Ｂを連結する必要はない。
【００４７】
本発明の端部部材としては、上部側摺動片５０、下部側摺動片６０を用いたものに限らない。例えば、摺動片を備えない開き窓において、障子の框に取り付けられる端部キャップを端部部材として利用してもよい。さらに、上部側摺動片５０、下部側摺動片６０を有する場合でも、これらの摺動片５０，６０とは別に端部部材を設けてもよい。
【００４８】
さらに、端部部材（上部側摺動片５０、下部側摺動片６０）は、室外部材２１Ａ〜２６Ａ，２８Ａおよび室内部材２５Ｂ，２６Ｂ，２８Ｂのポケット部４０に係合されるものに限らない。例えば、端部部材（摺動片５０，６０）を係合するポケット部を別途設けてもよいし、端部部材をネジで室外部材２１Ａ〜２６Ａ，２８Ａおよび室内部材２５Ｂ，２６Ｂ，２８Ｂに固定してもよい。要するに、端部部材は、室外部材２５Ａ，２６Ａ，２８Ａおよび室内部材２５Ｂ，２６Ｂ，２８Ｂの間隔を一定に維持でき、各框の端部の開きを防止できるものであればよい。
また、各摺動片５０，６０の材質は、合成樹脂などの熱伝導率が低く、断熱性能を維持できるものであればよく、実施にあたって適宜選択すればよい。
さらに、他の構成、例えば、各框２１〜２８や、各框２１〜２８で保持される面材の具体的な構造・形状や、各枠１１〜１４の構造、躯体への取付構造等は前記実施形態のものに限らない。
【産業上の利用可能性】
【００４９】
本発明は、断熱形材からなる框を有する障子を備えた断熱サッシ窓に利用でき、引違い窓、開き窓、上げ下げ窓、辷り出し窓等の障子を開くことができるサッシ窓や、障子を窓枠に固定したＦＩＸ窓、さらには玄関ドア等の各種サッシ窓に利用できる。
【図面の簡単な説明】
【００５０】
【図１】本発明の実施形態にかかるサッシ窓を示す縦断面図。
【図２】本発明の実施形態にかかるサッシ窓を示す横断面図。
【図３】本実施形態の要部を示す斜視図。
【図４】本実施形態の竪框および上框部分を示す平面図であり、図４（Ａ）は断熱ブリッジ材が熱伸びする前の状態を示す平面図、図４（Ｂ）は断熱ブリッジ材が熱伸びした後の状態を示す平面図。
【図５】本実施形態の竪框および上部摺動片を示す横断面図。
【図６】本実施形態の竪框および上部摺動片を示す側面図。
【図７】本実施形態の上部摺動片を取り付ける前の状態を示す説明図。
【図８】本実施形態の竪框および上部摺動片を示す図であり、図８（Ａ）は断熱ブリッジ材が熱伸びする前の状態を示す図、図８（Ｂ）は断熱ブリッジ材が熱伸びした後の状態を示す図。
【符号の説明】
【００５１】
１…サッシ窓、１０…窓枠、１１…上枠、１２…下枠、１３，１４…縦枠、１１Ａ，１２Ａ，１３Ａ，１４Ａ…室外部材、１１Ｂ，１２Ｂ，１３Ｂ，１４Ｂ…室内部材、１１Ｃ，１２Ｃ，１３Ｃ，１４Ｃ…断熱ブリッジ材、１５…ポケット部、１６〜１９…レール、２０Ａ…外障子、２０Ｂ…内障子、２１，２２…上框、２３，２４…下框、２５，２６…竪框、２７…外召合せ框、２８…内召合せ框、２１Ａ〜２６Ａ，２８Ａ…室外部材、２１Ｂ〜２６Ｂ，２８Ｂ…室内部材、２１Ｃ〜２６Ｃ，２８Ｃ…断熱ブリッジ材、２９…複層ガラス、３０…ガスケット、４０…ポケット部、４１…突出片部、４２…係合片部、４３…係合溝、５０…上部側摺動片、５１…室外側壁部、５２…室内側壁部、５１Ａ，５２Ａ…カバー部、５３…連結部、５４…摺動溝、５５，５６…係合部、５５Ａ…挿入ガイド部、５５Ｂ…幅拡大部、５５Ｃ…嵌合部、５７…被覆片、６０…下部側摺動片、７１，７２…隙間。
【図１】
2005200932.tif 000003
【図２】
2005200932.tif 000004
【図３】
2005200932.tif 000005
【図４】
2005200932.tif 000006
【図５】
2005200932.tif 000007
【図６】
2005200932.tif 000008
【図７】
2005200932.tif 000009
【図８】
2005200932.tif 000010